(57)【要約】【課題】フード本体の下側及び側方の両方から空気を吸引することができるレンジフードを提供する。【解決手段】レンジフード１は、フード本体２と、整流板３と、開口８と、ファン６と、を備える。フード本体２は、下方を向いた開口２ａと、開口２ａから上方に延びる側壁２ｂと、開口２ａから上方に向けて側壁２ｂを切り欠いた切欠２ｃと、側壁２ｂに接続する天板２ｄと、を有する。整流板３は、開口２ａの一部を被覆して開口２ａとの間に隙間Ｓを形成する。開口８は、整流板３、側壁２ｂ及び天板２ｄにより仕切られて切欠２ｃに対向してフード本体２の側方を向く。ファン６は、フード本体２の内側に空気を吸引させる。【選択図】図１
2018036007.tif 000002
【特許請求の範囲】
【請求項１】
下方を向いた第１開口と、前記第１開口から上方に延びる側壁と、前記第１開口から上方に向けて前記側壁を切り欠いた切欠部と、前記側壁に接続する天板部と、を有するフード本体と、
前記第１開口の一部を被覆して前記第１開口との間に隙間を形成する整流板と、
前記整流板、前記側壁及び前記天板部により仕切られて前記切欠部に対向して側方を向いた第２開口と、
前記フード本体の内側に空気を吸引させるファンと、
を備えることを特徴とするレンジフード。
【請求項２】
前記第２開口側から前記側方に延びるパネルを有して前記パネルを上下方向に沿って複数並列に配置するルーバー部を備える請求項１に記載のレンジフード。
【請求項３】
前記切欠部として、前記第１開口から上方に向けて前記側壁を切り欠いた互いに対向する第１及び第２切欠を有し、
前記第２開口として、前記整流板、前記側壁及び前記天板部により仕切られて前記第１切欠に対向して前記側方を向いた第１開口部と、前記整流板、前記側壁及び前記天板部により仕切られて前記第２切欠に対向して前記側方を向いた第２開口部と、を有する請求項２に記載のレンジフード。
【請求項４】
前記整流板は、水平面となる下面を有する請求項２又は３に記載のレンジフード。
【請求項５】
前記パネルは、平板状である請求項４に記載のレンジフード。
【請求項６】
前記下面は、水平方向に沿って位置する請求項４又は５に記載のレンジフード。
【請求項７】
前記パネルは、水平方向に沿って位置する請求項５又は６に記載のレンジフード。
【請求項８】
複数の前記パネルの中で最も下に位置する前記パネルが、最下パネルであり、
前記最下パネルの下面は、前記整流板の下面と面一状に位置する請求項５ないし７のいずれか１項に記載のレンジフード。
【請求項９】
前記最下パネルは、前記側方に突出するとともに上方に向けて湾曲する湾曲部を有する請求項８に記載のレンジフード。
【請求項１０】
複数の前記パネルは、上側に配置される前記パネルほど前記側方に突出して位置する請求項２ないし９のいずれか１項に記載のレンジフード。
【請求項１１】
前記天板部は、前記整流板に対向する貫通孔を有し、
前記ファンにより吸引された空気を排出するダクトと、
前記貫通孔の外縁部から上方に延びて内側に前記ファンと前記ダクトが配置されるダクトカバーと、
を備える請求項２ないし１０のいずれか１項に記載のレンジフード。
【請求項１２】
複数の前記パネルは、前記切欠部の直下領域に到達することなく、前記フード本体の内側に位置する請求項２ないし１１のいずれか１項に記載のレンジフード。
【発明の詳細な説明】
【技術分野】
【０００１】
本発明は、レンジフードに関する。
【背景技術】
【０００２】
レンジフードのデザインとして、フードの厚さを薄くデザインしたものがある。このようなレンジフードは見栄えが良いものの、フードの厚さが薄いため、煙等を捕集する空間が狭くなり、捕集効率が低下してしまう。そこで、例えば、特許文献１には、厚さが薄いフードを使用する場合でも煙等の捕集効率が低下するのを回避できるレンジフードが開示されている。
【先行技術文献】
【特許文献】
【０００３】
【特許文献１】特開２０１５−９４４８３号公報
【発明の概要】
【発明が解決しようとする課題】
【０００４】
特許文献１のレンジフードは、下方を向いた開口を有するフード本体と、その開口の一部を被覆してその開口との間に枠状の隙間を形成する整流板と、を有する。そして、特許文献１のレンジフードでは、整流板の回りに位置する枠状の隙間のそれぞれの場所からバランスよく空気を吸引できるようにして捕集効率を低下するのを回避している。しかしながら、枠状の隙間のみからしか空気を吸引できず、主にフード本体における下側の空気しか吸引できない。
【０００５】
本発明の課題は、フード本体の下側及び側方の両方から空気を吸引することができるレンジフードを提供することにある。
【課題を解決するための手段及び発明の効果】
【０００６】
本発明のレンジフードは、
下方を向いた第１開口と、第１開口から上方に延びる側壁と、第１開口から上方に向けて側壁を切り欠いた切欠部と、側壁に接続する天板部と、を有するフード本体と、
第１開口の一部を被覆して第１開口との間に隙間を形成する整流板と、
整流板、側壁及び天板部により仕切られて切欠部に対向して側方を向いた第２開口と、
フード本体の内側に空気を吸引させるファンと、
を備えることを特徴とする。
【０００７】
本発明のレンジフードは、ファンによりフード本体の内側に空気が吸引されると、整流板と第１開口との間の隙間を経てフード本体の内側に空気が吸引されるとともに、第２開口を通じてフード本体の内側に空気が吸引される。そのため、フード本体の下側及び側方の両方から空気を吸引することができる。
【０００８】
本発明の実施態様では、第２開口側から側方に延びるパネルを有してパネルを上下方向に沿って複数並列に配置するルーバー部を備える。
【０００９】
これによれば、第２開口側から側方に延びるパネルを複数有することで、例えば、天井にレンジフードが取り付けられた場合には（見上げるようにレンジフードを見る場合には）、レンジフードの内部が見えにくくなり、レンジフードの見栄えを良くすることができる。
【００１０】
本発明の実施態様では、切欠部として、第１開口から上方に向けて側壁を切り欠いた互いに対向する第１及び第２切欠を有し、第２開口として、整流板、側壁及び天板部により仕切られて第１切欠に対向して側方を向いた第１開口部と、整流板、側壁及び天板部により仕切られて第２切欠に対向して側方を向いた第２開口部と、を有する。
【００１１】
これによれば、レンジフードの両側に設けられた第１及び第２開口部を通じて空気を吸引することができるので、レンジフードの左右の両方から空気を吸引することができる。
【００１２】
本発明の実施態様では、整流板は、水平面となる下面を有する。
【００１３】
これによれば、整流板と第１開口との間の隙間から空気を吸引する際に整流板に向けて上昇した気流が整流板に沿って流れ易くなり、隙間に気流を導き易くなる。
【００１４】
本発明の実施態様では、パネルは、平板状である。
【００１５】
これによれば、複数のパネルの間を空気が流通し易くなり、ルーバー部を通じてフード本体の内側に空気を効率よく吸引することができる。
【００１６】
本発明の実施態様では、整流板の下面は、水平方向に沿って位置する。
【００１７】
これによれば、整流板に向けて上昇した後に整流板の下面に沿うように流れる気流に偏りが生じるのを抑制でき、整流板と第１開口との間の隙間から空気を効率よく吸引することができる。
【００１８】
本発明の実施態様では、パネルは、水平方向に沿って位置する。
【００１９】
これによれば、フード本体の上方から複数のパネルの間に流入する気流と、フード本体の下方から複数のパネルの間に流入する気流との間で複数のパネルの間に流入する気流に偏りが生じるのを抑制できる。
【００２０】
本発明の実施態様では、複数のパネルの中で最も下に位置するパネルが最下パネルであり、最下パネルの下面は、整流板の下面と面一状に位置する。
【００２１】
これによれば、整流板に向けて上昇した後に整流板の下面に沿うような気流の一部が最下パネルの下面に沿うように流れ、気流を複数のパネルの間に導き易くなる。
【００２２】
本発明の実施態様では、最下パネルは、側方に突出するとともに上方に向けて湾曲する湾曲部を有する。
【００２３】
これによれば、最下パネルの下面に沿うような気流の一部を湾曲部から最下パネルの上方に導き易くなる。そのため、気流を複数のパネルの間に導き易くなる。
【００２４】
本発明の実施態様では、複数のパネルは、上側に配置されるパネルほど側方に突出して位置する。
【００２５】
これによれば、複数のパネルは、いわば、側方に向かうに連れて階段状に突出して位置する。そのため、複数のパネルにおいて一番下に位置するパネルの下面に沿うように側方に向かう気流は、階段状に複数のパネルに沿うように側方に流れるとともに、その気流の一部は、複数のパネルの間に吸引される。したがって、側方に向かう気流をルーバー部により効果的に吸引することができる。加えて、レンジフードの内部が見えにくくなり、レンジフードの見栄えを良くすることができる。
【００２６】
本発明の実施態様では、天板部は、整流板に対向する貫通孔を有し、ファンにより吸引された空気を排出するダクトと、貫通孔の外縁部から上方に延びて内側にファン及びダクトが配置されるダクトカバーを備える。
【００２７】
これによれば、このように配置されるファンを使用する場合でもフード本体の内側に空気を吸引する吸引力が良好となる。また、ダクトカバーによりダクト及びファンを隠すことで見栄えが良くなる。
【００２８】
本発明の実施態様では、複数のパネルは、切欠部の直下領域に到達することなくフード本体の内側に位置する。
【００２９】
これによれば、レンジフードを見る方向によっては、ルーバー部を隠すことができ、レンジフード全体の見栄えが良くなる。
【図面の簡単な説明】
【００３０】
【図１】本発明の一例のレンジフードを示す模式斜視図。
【図２】図１のレンジフードの模式正面図。
【図３】図１のレンジフードの模式右側面図。
【図４】図１のレンジフードの模式底面図。
【図５】図１のレンジフードの模式平面図。
【図６】図１のレンジフードのフード本体を示す模式斜視図。
【図７】図４のＶＩＩ−ＶＩＩ模式断面図。
【図８】図７のＶＩＩＩ−ＶＩＩＩ模式拡大図。
【図９】図７のＩＸ−ＩＸ模式拡大図。
【図１０】図４のＸ−Ｘ模式断面図。
【図１１】図１のレンジフードのフード本体と整流板を示す模式斜視図（ただし、内部機構の一部は省略してある）。
【図１２】図４のＸＩＩ−ＸＩＩ斜視片側断面図。
【図１３】図１２のＸＩＩＩ−ＸＩＩＩ模式拡大図。
【図１４】図１０のＸＶ−ＸＶ模式拡大図。
【図１５】図１のレンジフードを室内に取り付けた一例を示す模式斜視図。
【図１６】レンジフードに吸引される空気の流れの一例を示す図１０に対応する模式断面図。
【図１７】ルーバーにおけるパネルの変形例を示す図１４に対応する模式断面図。
【発明を実施するための形態】
【００３１】
図１〜図５は、本発明の一例である厨房用レンジフード（以下、「レンジフード１」とする。）を示す。レンジフード１は、例えば、室内に配置された加熱・電磁調理器などの上方に設けられ、調理により発生する油煙及び水蒸気などを含む空気を吸引し、吸引した空気を室外に排出する。
【００３２】
図１に示すようにレンジフード１は、料理により発生する煙等を含む空気を吸引して捕獲するためのフード本体２と、フード本体２に取り付けられる整流板３及びルーバー４と、フード本体２の内側に捕集した空気を排出するダクト５と、ダクト５内に空気を送風するファン６と、ダクト５及びファン６を内側に配置するダクトカバー７と、を備える。
【００３３】
フード本体２は、対向する２つの側面が開放された扁平箱状に形成され、下方を向いて開放している開口２ａと、開口２ａから上方に延びる側壁２ｂと、図示左右の側壁２ｂの大部分を切り欠いた切欠２ｃと、側壁２ｂの上端を接続する天板２ｄと、を有する。図６に示すように開口２ａは、長辺２ａ１と短辺２ａ２を有する矩形状である。長辺２ａ１の一部と短辺２ａ２は、下記に説明するように切欠２ｃにより切り欠かれているため、仮想的に２点鎖線で示される。側壁２ｂは、矩形状の開口２ａの長辺２ａ１と短辺２ａ２から上方に向けて延びるように形成される。より詳細には、側壁２ｂは、開口２ａが下向きに広がるように傾斜するように形成される。側壁２ｂは、長辺２ａ１から上方に延びる１組の側壁２ｂ１と、短辺２ａ２から上方に延びる１組の側壁２ｂ２と、を有する。側壁２ｂ１の一部と側壁２ｂ２の大部分は、切欠２ｃにより略Ｕ字状に切り欠かれ、アーチ状となる。１組の側壁２ｂ１は対向して位置し、１組の側壁２ｂ２も対向して位置する。切欠２ｃは、側壁２ｂ１と側壁２ｂ２に跨って略Ｕ字状に形成され、切り欠かれた領域Ｒが二点鎖線で仮想的に示される。切欠２ｃは、図示左右に形成され、左右の切欠２ｃは対向して位置する。天板２ｄは、側壁２ｂ１、２ｂ２の上端を接続してフード本体２の上壁となる矩形板状の部位であり、この板状の部位を厚さ方向に貫通する貫通孔Ｈを有する。
【００３４】
図１に戻って、整流板３は、フード本体２の内部に空気を吸引する際に空気の流れを整えるための板状部材である。レンジフード１の模式断面図である図７を拡大した図８及び図９に示すように整流板３は、扁平箱状に形成され、鉛直方向に延びる側壁３ａと、下面３ｂ１が水平面となる底部３ｂと、を有する。また、整流板３は、図８に示すように底部３ｂの上面に取り付けられて図８の紙面に対して垂直な方向に延びる軸線Ｏ回りに整流板３を揺動可能にするヒンジ部３ｃと、揺動可能な整流板３をフード本体２に固定する図９に示す固定部３ｄと、を有する。レンジフード１の使用時には固定部３ｄによりフード本体２に整流板３が固定され、図４に示すように整流板３がフード本体２の開口２ａの一部が被覆する。具体的には、整流板３が開口２ａの中央部を被覆し、図４における開口２ａの左右の両端部は、整流板３により被覆されていない。そして、整流板３とフード本体２の開口２ａとの間には線状の２つの隙間Ｓが形成される。また、図８及び図９に示すようにフード本体２の側壁２ｂの下端面Ｅと、整流板３の下面３ｂ１は、同一平面上に位置し、隙間Ｓを経由してフード本体２の内側（フード本体２と整流板３との間）に空気が流入可能となる。このようにフード本体２に整流板３が固定された状態で、底部３ｂの下面３ｂ１が水平方向に沿うように位置し、図１０に示すようにフード本体２の天板２ｄにおける貫通孔Ｈが整流板３に対向して位置する。整流板３が固定されたフード本体２は、図１１に示すように整流板３、側壁２ｂ１及び天板２ｄにより仕切られる開口８を有する。具体的には、略Ｕ字状の切欠２ｃに対向する整流板３の側壁３ａ（図１１の３ａ１）と、側壁３ａ１の直上に位置する天板２ｄの部分と、側壁３ａ１の側方に位置するフード本体２の側壁２ｂ１と、により開口８が区画される。いわば、側壁３ａ１を通過するように鉛直方向に整流板３、側壁２ｂ１及び天板２ｄを切断した端面に形成されるのが開口８となる。開口８は、内周の一部が隙間Ｓで途切れた略扁平状の口となり、開口８は、整流板３が固定されたフード本体２の両側（側方）に位置する。各開口８は、フード本体２の側方を向いて位置するとともに、略Ｕ字状の切欠２ｃに対向して位置する。
【００３５】
図１に戻って、ルーバー４は、フード本体２の内側に吸引する空気の流れを整え、かつ、フード本体２の内部を外部から見えにくくする部材である。ルーバー４は、図１１の開口８の外側に隣接して、言い換えれば、フード本体２の側方に配置される。ルーバー４は、２つの開口８に対応してフード本体２に２つ取り付けられる。ルーバー４は、開口８側からフード本体２の側方に延びる複数のパネル４ａ（図１２及び図１３）と、複数のパネル４ａを連結するとともに、ルーバー４をフード本体２に固定する連結部４ｂと、を有する。パネル４ａは、平板状に形成され、水平方向に沿って位置するように配置され、上下方向に沿って複数（３つ）のパネル４ａが等間隔に並列に配置される。ここで言う、上下方向とは、鉛直方向のみを意味するものではなく、鉛直方向に対して前後、左右、又は、前後かつ左右に傾いた方向を含む方向を意味する。複数のパネル４ａ全体としては、図１４に示すように上側に配置されるパネル４ａほどフード本体２の側方に突出して位置し、各パネル４ａは、アーチ状の切欠２ｃ（図１１参照）の直下領域に到達することなく、フード本体２の内側に位置する。図１３に戻って、連結部４ｂは、略Ｚ字の板状に形成される。連結部４ｂは、上下方向に延びる板部４ｂ１と、板部４ｂ１の上端に接続して上下方向に交差する方向（例えば、水平方向）に延びる上側板部４ｂ２と、板部４ｂ１の下端に位置して上下方向に交差する方向（例えば、水平方向）に延びる下側板部４ｂ３と、を有する。板部４ｂ１は、複数（３つ）のパネル４ａのうち上側に位置する２つのパネル４ａを支持する。上側板部４ｂ２は、連結部４ｂをフード本体２に固定するための部材である。下側板部４ｂ３は、複数（３つ）のパネルのうち一番下側に位置するパネル４ａを支持する。下側板部４ｂ３により支持された一番下側に位置するパネル４ａの下面は、図１４に示すように整流板３における底部３ｂの下面３ｂ１と面一状となる。
【００３６】
ルーバー４及び開口８を通じてフード本体２の内側に吸引された空気は、図１０に示すダクト５を通じて、例えば、室外に排出される。ダクト５は、筒状に形成され、一端が室外に通じる一方で、他端がファン６に接続する。ファン６は、フード本体２の内側に空気を吸引するとともに、フード本体２の内側に吸引した空気をダクト５から室外に排出する。ダクト５及びファン６は、円筒状のダクトカバー７の内側に配置される。ダクトカバー７は、環状の一端が貫通孔Ｈの外縁部に位置するように天板２ｄ上に載置され、その一端から上方の天井に向けて延びる。
【００３７】
以上、レンジフード１の主要な各部を説明した。レンジフード１により調理で発生した油煙等を含む空気を吸引する場合は、ファン６を作動させ、レンジフード１の周囲の空気を吸引する。ファン６によりフード本体２の内側に空気を吸引すると、２つの経路により空気がフード本体２の内側に吸引される。具体的には、図８及び図９に示すように整流板３と開口２ａとの間の隙間Ｓと経てフード本体２の内側に吸引されるとともに、図１４に示すようにルーバー４及び開口８を経てフード本体２の内側に吸引される。そして、吸引された空気はダクト５を通じて室外に排出される。
【００３８】
レンジフード１では、上記のように異なる２つの経路によりフード本体２の下側及び側方の両方から空気を吸引することができる。また、図１１に示す開口８の側方には、図１に示すように側方に延びるパネル４ａを上下方向に沿って複数並列に配置するルーバー４が備わる。よって、例えば、図１５に示すように天井ＣＥにレンジフード１が取り付けられた場合には、レンジフード１は見上げるように観察される。この場合、レンジフード１の開口８（図１１参照）を遮るように開口８からフード本体２の側方に複数のパネル４ａが延びるため、レンジフード１の内部が見えにくくなり、レンジフード１の見栄えを良くすることができる。また、フード本体２が扁平箱状であることからも、レンジフード１全体が薄く見栄えがより良い。
【００３９】
また、整流板３は、底部３ｂにおける下面３ｂ１が水平面であるため、図８及び図９の整流板３と開口２ａとの間の隙間Ｓから空気を吸引する際に整流板３に向けて上昇した気流が整流板３に沿って流れ易くなり、隙間Ｓに気流を導き易くなる。更に、下面３ｂ１が水平方向に沿って位置することから、下面３ｂ１に向けて上昇して下面３ｂ１に沿うように流れる気流に偏りが生じるのを抑制し、整流板３と開口２ａとの間の隙間Ｓから空気を効率よく吸引することができる。
【００４０】
一方、図１４に示すようにルーバー４のパネル４ａは平板状であるため、パネル４ａの間を空気が流通し易くなり、ルーバー４を通じてフード本体２の内側に空気を効率よく吸引することができる。そして、パネル４ａが水平方向に沿って位置するため、図１６に示すようにフード本体２の側方の上方から複数のパネル４ａの間に流入する気流Ｇ１と、フード本体２の側方の下方から複数のパネル４ａの間に流入する気流Ｇ２との間で複数のパネル４ａの間に流入する気流に偏りが生じるのを抑制できる。よって、フード本体２の側方における上側及び下側の領域の空気についても効率よく吸引することができる。また、複数のパネル４ａのうち一番下側に位置するパネル４ａの下面が、図１４に示すように整流板３の下面３ｂ１と面一状となる。よって、整流板３に向けて上昇した後に整流板３の下面３ｂ１に沿うような気流の一部が一番下側に位置するパネル４ａの下面に沿うように流れ、気流を複数のパネル４ａの間に導き易くなる。更に、複数のパネル４ａは、上側に配置されるパネル４ａほどフード本体２の側方に突出し、言い換えれば、複数のパネル４ａは、フード本体２の側方に向かうに連れて階段状に突出して位置する。よって、複数のパネル４ａのうち一番下に位置するパネル４ａの下面に沿うようにしてフード本体２の側方に向かう気流は、階段状に複数のパネル４ａに沿うようにフード本体２の側方に流れるとともに、その気流の一部は、複数のパネル４ａの間に吸引される。それ故、側方に向かう気流をルーバー４により効果的に吸引することができる。加えて、複数のパネル４ａは、アーチ状の切欠２ｃ（図１１参照）の直下領域に到達することなくフード本体２の内側に位置する。そのため、例えば、図２等に示すように見る方向によっては、ルーバー４を隠すことができ、レンジフード１全体の見栄えが良くなる。
【００４１】
また、図１６に示すようにレンジフード１においては、ファン６により吸引された空気を排出するダクト５と、フード本体２の貫通孔Ｈの外縁部から上方に延びて内側にダクト５及びファン６が配置されるダクトカバー７と、を備える。レンジフード１は、このように配置された１つのファン６を使用する場合でも吸引力が良好になる。また、ダクトカバー７によりダクト５及びファン６を隠すことで見栄えが良くなる。
【００４２】
以上、本発明の実施例を説明したが、本発明はその具体的な記載に限定されることなく、例示した構成等を技術的に矛盾のない範囲で適宜組み合わせて実施することも可能であるし、またある要素、処理を周知の形態に置き換えて実施することもできる。
【００４３】
上記の説明では、図１４に示すように複数のパネル４ａのうち一番下側に位置するパネル４ａが平板状である例を説明したが、複数のパネル４ａのうち一番下側に位置するパネル４ａを図１７に示すパネル１４ａとしてもよい。パネル１４ａは、平板状の板部１５と、板部１５からフード本体２の側方に突出するとともに上方に向けて湾曲する湾曲部１６と、を有する。そのため、パネル１４ａの下面に沿うような気流の一部を湾曲部１６からパネル１４ａの上方に導き易くなる。
【００４４】
上記の説明では、レンジフード１として、図１１の開口８の側方にルーバー４が配置される例を説明したが、ルーバー４を配置しなくてもよい。この場合、フード本体２の内側に吸引される気流をシンプルにすることができる。なお、ルーバー４が存在する場合は、フード本体２の内側に吸引される気流を細かく調整することが可能となる。
【００４５】
また、各図におけるフード本体２の側壁２ｂ、天板２ｄとして、中空状のものが示されるが、この中空部分が充填された側壁、天板等を使用することも可能である。
【符号の説明】
【００４６】
１      レンジフード                      ２      フード本体
２ａ    開口（第１開口）                  ２ｂ    側壁
２ｂ１  側壁                              ２ｂ２  側壁
２ｃ    切欠（切欠部、第１切欠、第２切欠）
２ｄ    天板（天板部）                    ３      整流板
３ｂ    底部                              ３ｂ１  下面
４      ルーバー（ルーバー部）            ４ａ    パネル（板部）
４ｂ    連結部                            ５      ダクト
６      ファン                            ７      ダクトカバー
８      開口（第２開口、第１開口部、第２開口部）
Ｈ      貫通孔                            Ｓ      隙間
１４ａ  パネル                            １５    板部
１６    湾曲部
【図１】
2018036007.tif 000003
【図２】
2018036007.tif 000004
【図３】
2018036007.tif 000005
【図４】
2018036007.tif 000006
【図５】
2018036007.tif 000007
【図６】
2018036007.tif 000008
【図７】
2018036007.tif 000009
【図８】
2018036007.tif 000010
【図９】
2018036007.tif 000011
【図１０】
2018036007.tif 000012
【図１１】
2018036007.tif 000013
【図１２】
2018036007.tif 000014
【図１３】
2018036007.tif 000015
【図１４】
2018036007.tif 000016
【図１５】
2018036007.tif 000017
【図１６】
2018036007.tif 000018
【図１７】
2018036007.tif 000019